(57)【要約】【課題】低音用スピーカを前面側に配置することなく、前面側に十分な低音出力を行うことができる遊技機を提供する。【解決手段】筐体１２に取り付けられたスピーカ２０と、筐体１２の一部を用いて形成されスピーカからの音を共鳴させる共鳴管路とを備え、共鳴管路が筐体１２の前面に音を出力させる開口部２４を備える遊技機である。共鳴管路は筐体１２の底部に設けられ、湾曲した管路として形成されている。スピーカ２０は共鳴管路に向けて筐体１２の内側に配置されている。筐体１２は、射出成型により一体成型され、外方に突出した桟状部１４を備え、桟状部１４は共鳴管路の一部を成している。【選択図】  図２
2004181021.tif 000002
【特許請求の範囲】
【請求項１】
筐体と、
前記筐体に取り付けられたスピーカと、
前記筐体の一部を用いて形成され、前記スピーカからの音を共鳴させる共鳴管路と、を有し、
前記共鳴管路は前記筐体の前面に音を出力させる開口部を備える、遊技機。
【請求項２】
請求項１に記載の遊技機であって、
前記共鳴管路は前記筐体の底部に設けられている、遊技機。
【請求項３】
請求項２に記載の遊技機であって、
前記スピーカは前記共鳴管路に向けて前記筐体の内側に配置されている、遊技機。
【請求項４】
請求項１ないし請求項３のいずれかに記載の遊技機であって、
前記共鳴管路は湾曲した管路として形成されている、遊技機。
【請求項５】
請求項１ないし請求項４のいずれかに記載の遊技機であって、
前記筐体は外方に突出した桟状部を備え、
前記桟状部は前記共鳴管路の一部を成す、遊技機。
【請求項６】
請求項１ないし請求項５のいずれかに記載の遊技機であって、
前記筐体は樹脂により形成されている、遊技機。
【発明の詳細な説明】
【０００１】
【発明の属する技術分野】
本発明は、音響効果を有する遊技機に関する。
【０００２】
【背景技術および発明が解決しようとする課題】
スロットマシンやパチンコ機などの遊技機においては、遊技の迫力を増して遊技性を向上させるために、ゲームの進行状況に応じた音響効果を演出するオーディオ出力部を備えていることが一般的である。そのようなオーディオ出力部では、十分な迫力をもった音を出力するために、低音用スピーカを用いることがある。
【０００３】
しかし、低音用スピーカは他の音域のスピーカに比べて形状が大きいのが一般的である。そのため、遊技機においては低音用のスピーカを前面側に配置することが、スペースの関係で困難となることが多い。その結果、低音用スピーカを遊技機の背面付近に配置して、低音を背面側に向けて出力する遊技機がある。しかしながら、背面側に向けて低音の出力を行ったのでは、遊技機の前面で遊技する遊技者には十分に低音が聞こえないという問題があった。
【０００４】
本発明は、上記のような点に鑑みてなされたものであって、その目的は、低音用スピーカを前面側に配置することなく、前面側に十分な低音出力を行うことができる遊技機を提供することにある。
【０００５】
【課題を解決するための手段】
（１）  本発明の遊技機は、筐体と、前記筐体に取り付けられたスピーカと、前記筐体の一部を用いて形成され、前記スピーカからの音を共鳴させる共鳴管路と、を有し、前記共鳴管路は前記筐体の前面に音を出力させる開口部を備える。本発明によれば、筐体の前面側に設けられた共鳴管路の開口部から低音出力を行うことができるため、低音用スピーカを前面側に配置することなく、前面側に十分な低音出力を行うことができる。また、共鳴管路は、その一部として筐体を用いて形成されているため、材料とスペースを節約することができる。
【０００６】
（２）  なお、前記共鳴管路は前記筐体の底部に設けられていてもよい。筐体の底部には遊技機の重量がかかるため、筐体自体がの振動を起こしてしまったりする可能性が低い。また、低い位置から低音が出力されることによって、音響効果を高めることができる。
【０００７】
（３）  また、前記スピーカは前記共鳴管路に向けて前記筐体の内側に配置されていてもよい。スピーカを筐体内に配置することによって、筐体の背面を大きく占めることなくスピーカを設置することができる。
【０００８】
（４）  あるいは、前記共鳴管路は湾曲した管路として形成されていてもよい。このように共鳴管路を湾曲させることによって、直線的な管路を設ける場合に比べて管路長を長くでき、さらに低い音にも共鳴させることができる。また、共鳴管路を介した不正などを行いにくくすることができる。
【０００９】
（５）  また、前記筐体が外方に突出した桟状部を備え、前記桟状部が前記共鳴管路の一部を成すようにしてもよい。このように筐体が桟状部を備えることによって、筐体の厚さを増すことなく十分な強度を得ることができる。また、共鳴管路の一部を桟状部を用いて形成することによって、共鳴管路形成のための材料を節約することができる。
【００１０】
（６）  さらに、前記筐体は樹脂により形成されていてもよい。筐体を樹脂により形成することによって、共鳴管路の一部として用いられる筐体の表面を容易に滑らかに形成することができる。それによって、音波の減衰を少なくすることができる。
【００１１】
【発明の実施の形態】
以下、本発明の好適な実施の形態について、図面を参照しながら、さらに具体的に説明する。
【００１２】
１．  ＜第１実施形態＞
【００１３】
図１は、本実施形態の遊技機としてのスロットマシン１０を示す模式的な正面図である。また、図２は、前面パネルを取り除いた状態としてスロットマシン１０の筐体１２およびスピーカ２０を示す模式的な斜視図である。図３は、図２に示した線Ｃ−Ｃに沿った位置における筐体１２およびスピーカ２０の模式的な部分断面図である。図４は、底面板を取り除いた状態で示す筐体１２の底面図である。
【００１４】
これらの図に示すように、本実施形態の遊技機としてのスロットマシン１０は、筐体１２、リールユニット８０、スピーカ２０、および共鳴管路２２を含んで構成される。
【００１５】
筐体１２は、図２から明らかなように、各面が、面状の面状部１３に加えて桟状部１４を備えて形成されている。桟状部１４は、筐体１２の各面において面状部１３から外方に突出し、格子状に設けられている。このように筐体１２が桟状部１４を備えることによって、筐体１２の厚さを増すことなく十分な強度を得ることができる。なお、図２および図３においては、桟状部１４を明確に表現するためにその高さを誇張して描いてある。
【００１６】
また、筐体１２は、樹脂からなり、射出成型により一体成型されている。筐体１２を射出成型により一体成型することによって、組み立てなどの工程が不要になるため、筐体１２を短い工程で製作することができる。
【００１７】
スピーカ２０は、図２および図３に示すように、筐体１２の底面に下方に向けて取り付けられている。また、スピーカ２０は共鳴管路２２に向けて筐体１２の内側に配置されている。スピーカ２０を筐体１２の内側に配置することによって、筐体１２の背面を大きく占めることなくスピーカ２０を設置することができる。また、スピーカの振動面の全面を共鳴管路２２に向けて容易に配置することができる。
【００１８】
共鳴管路２２は、図２から明らかなように、筐体１２の底部に設けられ、筐体１２の前面に音を出力させる開口部２４を備えている。共鳴管路２２は、スピーカ２０からの音を共鳴させて、音量を増加させる。これによって、スピーカ２０が小型のものであっても低音を十分な音量で出力することが可能となる。
【００１９】
また、図３および図４に示したように、共鳴管路２２は、筐体１２の一部すなわち桟状部１４、面状部１３、および底面板１６を利用して形成されている。このように、共鳴管路２２の一部として桟状部１４などを用いることによって、共鳴管路２２を形成するための材料を節約することができる。
【００２０】
さらに、筐体１２は前述したように樹脂を射出成型によって形成されているため、共鳴管路２２の一部として用いられる筐体１２の表面を容易に滑らかに形成することができる。共鳴管路２２の表面を滑らかに形成することによって、音波の減衰を少なくすることができる。
【００２１】
前述したように、共鳴管路２２は筐体１２の底部に設けられている。筐体１２の底部には遊技機１０の重量がかかるため、筐体１２自体が振動を起こしてしまったりする可能性が低い。また、低い位置から低音が出力されることによって、迫力が増し、音響効果を高めることができる。
【００２２】
そして、共鳴管路２２は、例えば図４に示したように、湾曲した管路として形成されている。このように共鳴管路２２を湾曲させることによって、直線的な管路を設ける場合に比べて管路長を長くでき、さらに低い音にも共鳴させることができる。また、遊技者が共鳴管路２２を介して異物を侵入させたりする不正が行いにくくなる。
【００２３】
このように、本実施形態によれば、共鳴管路２２の開口部２４が筐体１２の前面側に位置し、その開口部２４から低音出力を行うことができる。したがって、低音用スピーカを筐体１２の前面側に配置することなく、前面側に十分な低音出力を行うことができる。また、共鳴管路２２は、その一部として筐体１２を用いて形成されているため、材料とスペースを節約することができる。
【００２４】
２．  ＜第２実施形態＞
【００２５】
第１実施形態では直角に屈曲する共鳴管路を備える遊技機を示した。第２実施形態のスロットマシン４０は、共鳴管路５２が滑らかな曲線を描くように屈曲して形成されている点が第１実施形態とは異なる。それ以外の点においては第２実施形態の遊技機は第１実施形態の遊技機と同様である。また、図面において第１実施形態の各部に対応する各部には、第１実施形態と同一の符号を付して、その説明を省略する。
【００２６】
図５（Ａ）は、本実施形態の遊技機としてのスロットマシン４０の前面パネルを取り除いた状態として、筐体４１およびスピーカ２０を示す模式的な斜視図である。図５（Ｂ）は、底面板１６を取り除いた状態で示す筐体４１の底面図である。これらの図に示すように、本実施形態の遊技機としてのスロットマシン４０は、筐体４１、スピーカ２０、および共鳴管路５２を含んで構成される。なお、本実施形態の筐体４１は、底部を除いて第１実施形態と同様に形成されている。
【００２７】
共鳴管路５２は、図５（Ａ）および（Ｂ）から明らかなように、筐体４１の底部に設けられ、筐体４１の前面に音を出力させる開口部５４を備えている。また、図５（Ｂ）に示したように、共鳴管路５２は、筐体４１の一部すなわち屈曲した桟状部４５、面状部１３、および底面板１６を利用して形成されている。このように曲線状に屈曲した共鳴管路５２とすることによって、音波の減衰を少なくすることができる。
【００２８】
３．  ＜変形例＞
【００２９】
３．１  前述した実施形態においては、共鳴管路の横断面が矩形である例を示したが、共鳴管路はその横断面が円形、楕円形、他の多角形であってもよい。
【００３０】
３．２  前述した実施形態においては、共鳴管路を筐体の底部に形成した例を示した。しかしながら、本発明の共鳴管路は筐体の側面あるいは上面に設けることもできる。その場合、筐体の側面または上面を覆う側面板または上面板を備えて、桟状部とともに共鳴管路を形成する。
【００３１】
３．３  前述した各実施形態においては、筐体の底部に形成された桟状部が共鳴管路の一部を形成する例を示した。しかしながら、筐体の底部は桟状部を設けることなく扁平とし、例えば図６に示したように底面板６６に桟状部６８を設け、その桟状部６８の一部が共鳴管路６９の一部を形成するようにしてもよい。
【００３２】
あるいは、筐体の底部および底面板はいずれも扁平とし、底部と底面板に挾持される中底を設け、その中底に形成した桟状部の一部が共鳴管路の一部を形成するようにしてもよい。
【００３３】
３．４  本発明は前述した各実施形態に限定されるものではなく、本発明の要旨の範囲内、または、特許請求の範囲の均等範囲内で、各種の変形実施が可能である。
【図面の簡単な説明】
【図１】第１実施形態のスロットマシンを示す模式的な正面図である。
【図２】前面パネルを取り除いた状態としてスロットマシンの筐体およびスピーカを示す模式的な斜視図である。
【図３】図２に示した線Ｃ−Ｃに沿った位置における筐体およびスピーカの模式的な部分断面図である。
【図４】底面板を取り除いた状態で示す筐体の底面図である。
【図５】（Ａ）は第２実施形態のスロットマシンの前面パネルを取り除いた状態として筐体、スピーカ、および底面板を示す模式的な斜視図であり、（Ｂ）は底面板を取り除いた状態で示す筐体の底面図である。
【図６】桟状部を設けその一部が共鳴管路の一部を成すようにした底面板の変形例を示す斜視図である。
【符号の説明】
１０，４０  スロットマシン（遊技機）
１２，４１  筐体
１４，４５  桟状部
２０，６６  底面板
２２，５２  共鳴管路
２４，５４  開口部
６８  桟状部
【図１】
2004181021.tif 000003
【図２】
2004181021.tif 000004
【図３】
2004181021.tif 000005
【図４】
2004181021.tif 000006
【図５】
2004181021.tif 000007
【図６】
2004181021.tif 000008